(57)【要約】【課題】建物躯体へ遮蔽等のために取付けることができ、かつ、デザイン性も備えた建築用ルーバーパネルの取付構造を提供する。【解決手段】建物躯体３３に複数の長尺のルーバーパネル１１を垂直または水平に配置し、左右または上下に間隔をおいて列設した建築用ルーバーパネルの取付構造１０において、建物躯体３３とルーバーパネル１１の一端を固定する固定金具２０と、を備える。短尺に形成された固定金具２０はルーバーパネル１１の裏面に垂直または水平に配置し、左右または上下に間隔をおいて固定されている。【選択図】図２
2019151984.tif 000002
【特許請求の範囲】
【請求項１】
建物躯体に複数の長尺のルーバーパネルを垂直または水平に配置し、左右または上下に間隔をおいて列設した建築用ルーバーパネルの取付構造において、
前記建物躯体と前記ルーバーパネルの一端を固定する固定金具と、
を備え、
短尺に形成された前記固定金具は前記ルーバーパネルの裏面に垂直または水平に配置し、左右または上下に間隔をおいて固定されていることを特徴とする、建築用ルーバーパネルの取付構造。
【請求項２】
前記固定金具は、前記建物躯体と前記ルーバーパネルの端部に固定する端部固定金具または前記建物躯体と前記ルーバーパネル間に固定する目地部固定金具とからなることを特徴とする、請求項１に記載の建築用ルーバーパネルの取付構造。
【請求項３】
前記端部固定金具は、前記建物躯体に固定される躯体固定片と前記躯体固定片の端部から前記ルーバーパネル側に屈曲する連結片と前記連結片から外方に屈曲するルーバーパネル固定片とで断面Ｚ字状に形成されていることを特徴とする、請求項２に記載の建築用ルーバーパネルの取付構造。
【請求項４】
前記目地部固定金具は、前記建物躯体に固定される躯体固定片と前記躯体固定片の両端部から前記ルーバーパネル側に屈曲する対の連結片と対の前記連結片から外方に屈曲する対のルーバーパネル固定片とで断面ハット状に形成されていることを特徴とする、請求項２に記載の建築用ルーバーパネルの取付構造。
【請求項５】
前記躯体固定片は、前記建物躯体と固定する１以上の長孔が設けられていることを特徴とする、請求項３または４記載の建築用ルーバーパネルの取付構造。
【請求項６】
前記ルーバーパネル固定片は、１以上のＵ字状の切欠き孔が設けられていることを特徴とする、請求項３または４記載の建築用ルーバーパネルの取付構造。
【請求項７】
前記切欠き孔は、開口側が大きく、溝側が小さい孔であることを特徴とする、請求項６に記載の建築用ルーバーパネルの取付構造。
【請求項８】
前記ルーバーパネルは、前記建物躯体に固定される第１のルーバーパネルと、前記第１のルーバーパネルに接続される第２のルーバーパネルとからなることを特徴とする、請求項１〜７のいずれか１項に記載の建築用ルーバーパネルの取付構造。
【発明の詳細な説明】
【技術分野】
【０００１】
本発明は、外壁や内壁、天井等へ遮蔽等のために取付けられる建築用ルーバーパネルの取付構造に関するものである。
【背景技術】
【０００２】
従来、建物躯体に室内の採光、通風、雨よけ、目隠しや遮光性、遮蔽性、デザイン性等を高めるためにルーバーパネルを取付けることが行われている。例えば、特許文献１には、壁部の屋外側の面に長手方向両端部が横桟支持手段を介して固定され、互いに間隔をおいて平行に位置する左右方向長手状の複数の横桟と、複数の横桟に固定され、壁部の開口部を覆う格子状のパネルが開示されている。
【先行技術文献】
【特許文献】
【０００３】
【特許文献１】特開２０１０−１４４４６５号公報
【発明の概要】
【発明が解決しようとする課題】
【０００４】
しかし、上記したような格子状のパネルでは、複数の長尺の横桟がパネルとパネルとの間から視認できるため、デザイン性等に問題があった。
【０００５】
そこで、本発明は、建物躯体へ遮蔽等のために取付けることができ、かつ、デザイン性も備えた建築用ルーバーパネルの取付構造を提供することを課題とする。
【課題を解決するための手段】
【０００６】
本発明は、上記した課題を解決するためになされたものであり、以下を特徴とする。
請求項１に記載の発明は、建物躯体に複数の長尺のルーバーパネルを垂直または水平に配置し、左右または上下に間隔をおいて列設した建築用ルーバーパネルの取付構造において、前記建物躯体と前記ルーバーパネルの一端を固定する固定金具と、を備え、短尺に形成された前記固定金具は前記ルーバーパネルの裏面に垂直または水平に配置し、左右または上下に間隔をおいて固定されていることを特徴とする。
【０００７】
請求項２に記載の発明は、請求項１に記載の発明の特徴点に加え、前記固定金具は、前記建物躯体と前記ルーバーパネルの端部に固定する端部固定金具または前記建物躯体と前記ルーバーパネル間に固定する目地部固定金具とからなることを特徴とする。
【０００８】
請求項３に記載の発明は、請求項２に記載の発明の特徴点に加え、前記端部固定金具は、前記建物躯体に固定される躯体固定片と前記躯体固定片の端部から前記ルーバーパネル側に屈曲する連結片と前記連結片から外方に屈曲するルーバーパネル固定片とで断面Ｚ字状に形成されていることを特徴とする。
【０００９】
請求項４に記載の発明は、請求項２に記載の発明の特徴点に加え、前記目地部固定金具は、前記建物躯体に固定される躯体固定片と前記躯体固定片の両端部から前記ルーバーパネル側に屈曲する対の連結片と対の前記連結片から外方に屈曲する対のルーバーパネル固定片とで断面ハット状に形成されていることを特徴とする。
【００１０】
請求項５に記載の発明は、請求項３または４記載の発明の特徴点に加え、前記躯体固定片は、前記建物躯体と固定する１以上の長孔が設けられていることを特徴とする。
【００１１】
請求項６に記載の発明は、請求項３または４記載の発明の特徴点に加え、前記ルーバーパネル固定片は、１以上のＵ字状の切欠き孔が設けられていることを特徴とする。
【００１２】
請求項７に記載の発明は、請求項６に記載の発明の特徴点に加え、前記切欠き孔は、開口側が大きく、溝側が小さい孔であることを特徴とする。
【００１３】
請求項８に記載の発明は、請求項１〜７のいずれかに記載の発明の特徴点に加え、前記ルーバーパネルは、前記建物躯体に固定される第１のルーバーパネルと、前記第１のルーバーパネルに接続される第２のルーバーパネルとからなることを特徴とする。
【発明の効果】
【００１４】
請求項１に記載の発明は上記の通りであり、建物躯体に複数の長尺のルーバーパネルを垂直または水平に配置し、左右または上下に間隔をおいて列設した建築用ルーバーパネルの取付構造において、建物躯体とルーバーパネルの一端を固定する固定金具と、を備えているため、様々な構成の建物躯体に対し、同部材の長尺のルーバーパネルを垂直または水平に取付けられるので利便性がある。また、ルーバーパネルの一端を固定する片持ち固定式のため、両端を固定する構造と比較して部品数や製造コストの増加を抑えることができる。また、片持ち固定式であるので、固定位置の制約が少なく、様々な現場に対応し易い。また、短尺に形成された固定金具はルーバーパネルの裏面に垂直または水平に配置し、左右または上下に間隔をおいて固定されているため、ルーバーパネルに固定金具が隠れ、外方からは視認し辛く意匠性が良い。
【００１５】
請求項２に記載の発明は上記の通りであり、固定金具は、建物躯体とルーバーパネルの端部に固定する端部固定金具または建物躯体とルーバーパネル間に固定する目地部固定金具とからなるため、端部および目地部（ジョイント部）のみの固定だけで長尺のルーバーパネルを取付けられるので、作業性が良い。
【００１６】
請求項３に記載の発明は上記の通りであり、端部固定金具は、建物躯体に固定される躯体固定片と躯体固定片の端部からルーバーパネル側に屈曲する連結片と連結片から外方に屈曲するルーバーパネル固定片とで断面Ｚ字状に形成されているため、連結片により建物躯体とルーバーパネルとの間に空間が設けられるので、凹凸等がある建物躯体でも連結片による空間で凹凸等に対応でき、様々な現場に対応し易い。また、ボルトおよびネジ等の止め具の突出部も連結片による空間に収められるため、様々な現場でもルーバーパネルがスムーズに取付けられ、作業性が良い。
【００１７】
請求項４に記載の発明は上記の通りであり、目地部固定金具は、建物躯体に固定される躯体固定片と躯体固定片の両端部からルーバーパネル側に屈曲する対の連結片と対の連結片から外方に屈曲する対のルーバーパネル固定片とで断面ハット状に形成されているため、連結片により建物躯体とルーバーパネルとの間に空間が設けられるので、凹凸等がある建物躯体でも連結片による空間で凹凸等に対応でき、様々な現場に対応し易い。また、ボルトおよびネジ等の止め具の突出部も連結片による空間に収められるため、様々な現場でもルーバーパネルがスムーズに取付けられ、作業性が良い。
【００１８】
請求項５に記載の発明は上記の通りであり、躯体固定片は、建物躯体と固定する１以上の長孔が設けられているため、様々な条件の建物躯体に対して固定するボルト等を仮止めおよび位置決めができ、固定がし易い。
【００１９】
請求項６に記載の発明は上記の通りであり、ルーバーパネル固定片は、１以上のＵ字状の切欠き孔が設けられているため、作業性の悪い現場での作業でも仮止めおよび位置決めがし易く、作業性が良い。
【００２０】
請求項７に記載の発明は上記の通りであり、切欠き孔は、開口側が大きく、溝側が小さい孔であるため、ルーバーパネルに対して固定するネジ等の種類（ネジ径）を問わず、同じ固定金具で対応できるため、利便性があり、かつ、複数の固定金具を製作しないため、コストが抑えられる。
【００２１】
請求項８に記載の発明は上記の通りであり、ルーバーパネルは、建物躯体に固定される第１のルーバーパネルと、第１のルーバーパネルに接続される第２のルーバーパネルとからなるため、より大きく張り出した形状の大型のルーバーパネルを構成することができる。このため、様々な現場に対応し易く、現場に合った意匠性の良い建築用ルーバーパネルの取付構造を提供することができる。
【図面の簡単な説明】
【００２２】
【図１】建築用ルーバーパネルの取付構造のルーバーパネルを垂直方向に取付けた状態を示す外観図である。
【図２】（ａ）図１のＡ方向から見た部分拡大図（図１の上方）、（ｂ）図１のＡ方向から見た部分拡大図（図１の下方）、（ｃ）図１のＢ方向から見た部分拡大図である（小口フタを取り外した状態）。
【図３】建築用ルーバーパネルの取付構造のルーバーパネルを水平方向に取付けた状態を示す外観図である。
【図４】（ａ）図３のＣ方向から見た部分拡大図（図３の左方）、（ｂ）図３のＣ方向から見た部分拡大図（図３の右方）、（ｃ）図３のＤ方向から見た部分拡大図である（小口フタを取り外した状態）。
【図５】建築用ルーバーパネルの取付構造の固定金具を示す（ａ）端部固定金具の正面図、（ｂ）目地部固定金具の正面図である。
【図６】端部固定金具に係る（ａ）平面図、（ｂ）図６（ａ）のＡ−Ａ線断面図である。
【図７】目地部固定金具に係る（ａ）平面図、（ｂ）図７（ａ）のＡ−Ａ線断面図である。
【図８】ルーバーパネル固定片の切欠き孔に係る（ａ）図６、図７の部分拡大図、（ｂ）変形例の部分拡大図である。
【図９】建築用ルーバーパネルの取付構造を示す分解斜視図である。
【図１０】ルーバーパネルと固定金具の固定方法に係る（ａ）ネジ径が大きいネジを固定する図、（ｂ）ネジ径が小さいネジを固定する図である。
【図１１】ルーバーパネルの変形例１を示す図である。
【図１２】ルーバーパネルの変形例２を示す分割ルーバーパネルの図である。
【発明を実施するための形態】
【００２３】
本発明の実施形態について、図を参照しつつ説明する。
【００２４】
本実施形態に係る建築用ルーバーパネルの取付構造１０は、図１、図３に示すように、壁や天井等の建物躯体３３に複数の長尺のルーバーパネル１１を垂直または水平に配置し、左右または上下に間隔をおいて列設するために、建物躯体３３とルーバーパネル１１との間を固定する短尺の固定金具２０を備えたものである。この固定金具２０は、図２、図４に示すように、ルーバーパネル１１の裏面に固定された片持ち式固定になっている。なお、図１に示すように、建物躯体３３の上下方向に開口部３４があっても、開口部３４がない構成と同様にルーバーパネル１１の取付けができる。また、図３に示すように、建物躯体３３の左右方向の開口部３４においても、上述と同様にルーバーパネル１１の取付けができる。
【００２５】
ルーバーパネル１１は、図１に示すように、建物躯体３３に対して長手方向が垂直に配置し、左右に間隔をおいて取付けられる。その際、図２（ａ）に示すように、建物躯体３３の上下方向に開口部３４を備える構成および、図２（ｂ）に示すように、開口部３４がない構成がある。すなわち、建物躯体３３の構成に関わらず、長尺のルーバーパネル１１を垂直方向に連続して取付けることで、上下方向の建物躯体３３および開口部３４が覆われ、遮蔽される。また、図２（ｃ）に示すように、後述の下地材が短尺材からなる固定金具２０がルーバーパネル１１の裏面に固定されているため、外方からは視認し辛く意匠性が良い構成になっている。言い換えると、ルーバーパネル１１のみが外方から視認できるため、ルーバーパネル１１が看者に注視でき、ルーバーパネル１１のデザイン性を損なわない構成になっている。
【００２６】
また、ルーバーパネル１１は、図３に示すように、建物躯体３３に対して長手方向が地面（符号なし）と水平に配置し、上下に間隔をおいて取付けられる。その際、図４（ａ）に示すように、建物躯体３３の左右方向に開口部３４を備える構成および、図４（ｂ）に示すように、開口部３４がない構成がある。すなわち、建物躯体３３の構成に関わらず、長尺のルーバーパネル１１を水平方向に連続して取付けることで、左右方向の建物躯体３３および開口部３４が覆われ、上記実施形態と同様に遮蔽される。また、図４（ｃ）に示すように、後述の下地材が短尺材からなる固定金具２０がルーバーパネル１１の裏面に固定されているため、外方からは視認し辛く意匠性が良い構成になっている。言い換えると、ルーバーパネル１１のみが外方から視認できるため、ルーバーパネル１１が看者に注視でき、ルーバーパネル１１のデザイン性を損なわない構成になっている。
【００２７】
固定金具２０は、図２、図４に示すように、建物躯体３３とルーバーパネル１１との間を固定するための短尺の下地材である。本実施形態に係る固定金具２０は、ルーバーパネル１１の端部に固定される端部固定金具２１とルーバーパネル１１間をジョイントする目地部固定金具２２とからなる。この固定金具２０により、ルーバーパネル１１の下地材が外方から視認し辛く、意匠性が向上する。
【００２８】
端部固定金具２１は、建物躯体３３とルーバーパネル１１の端部とを固定するための下地材であり、図５（ａ）、図６（ａ）、図６（ｂ）に示すように、建物躯体３３に固定される躯体固定片２３と躯体固定片２３の端部からルーバーパネル１１側に屈曲する連結片２４と連結片２４から外方に屈曲するルーバーパネル固定片２５とで断面Ｚ字状に形成されている。この連結片２４により、建物躯体３３とルーバーパネル１１との間に空間Ｓが設けられるので、凹凸等がある建物躯体３３およびボルト３５やネジ３６等の止め具の突出部も連結片２４による空間Ｓに収めることができる。また、図６（ａ）に示すように、躯体固定片２３には、建物躯体３３と固定する後述の長孔２６が１以上設けられ、ルーバーパネル固定片２５には、ルーバーパネル１１と固定する外方に開口する後述の切欠き孔２７が形成されている。
【００２９】
目地部固定金具２２は、建物躯体３３とルーバーパネル１１のジョイント部とを固定するための下地材であり、図５（ｂ）、図７（ａ）、図７（ｂ）に示すように、建物躯体３３に固定される躯体固定片２８と躯体固定片２８の両端部からルーバーパネル１１側に屈曲する対の連結片２９と対の連結片２９からそれぞれの外方に屈曲する対のルーバーパネル固定片３０とで断面ハット状に形成されている。上記実施形態と同様に、この連結片２９により、建物躯体３３とルーバーパネル１１との間に空間Ｓが設けられるので、凹凸等がある建物躯体３３およびボルト３５やネジ３６等の止め具の突出部も連結片２９による空間Ｓに収めることができる。また、図７（ａ）に示すように、躯体固定片２８には、建物躯体３３と固定する後述の長孔３１が１以上設けられ、対のルーバーパネル固定片３０には、ルーバーパネル１１と固定するそれぞれが外方に開口する後述の切欠き孔３２が形成されている。
【００３０】
長孔２６、３１および切欠き孔２７、３２は、図５〜図７に示すように、建物躯体３３とルーバーパネル１１とを接続するためのボルト３５およびネジ３６を挿通するための孔である。具体的には、長孔２６、３１は、固定金具２０の短尺方向に対して孔が広い楕円状を形成し、切欠き孔２７、３２は、固定金具２０の長尺方向に対して溝が深く外方に開口したＵ字状を形成している。長孔２６、３１は、予め建物躯体３３に打設してあるアンカーボルト等のボルト３５を長孔２６、３１に挿通し、ナット（符号なし）等により締め込んで固定する。その際、左右または上下の一方向から仮締めをして取付けていき、長い孔により微調整を行い、位置が決まったらナット等を本締めすることができる。また、図８（ａ）、図９、図１０（ａ）に示すように、切欠き孔２７、３２は、予めルーバーパネル１１の本体内部の対の係合片１４に引っ掛けてあるネジ３６を切欠き孔２７、３２の開口側２７ａ、３２ａから溝側２７ｂ、３２ｂに挿通し、ナット（符号なし）等により締め込んで固定する。その際、上述の長孔２６、３１と同様に左右または上下の一方向から仮締めをして取付けていき、切欠き孔２７、３２により微調整を行い、位置が決まったらナット等を本締めすることができる。なお、切欠き孔２７、３２の形状は上記した実施形態のものに限らず、種々のものが考えられる。
【００３１】
例えば、図８（ｂ）に示すように、切欠き孔２７、３２の溝を開口側２７ａ、３２ａより溝側２７ｂ、３２ｂの方を小さい孔にしても良い。この例では、図８（ｂ）に示すように、切欠き孔２７’、３２’の開口側２７ａ’、３２ａ’と溝側２７ｂ’、３２ｂ’との孔の広さが相違している。具体的には、開口側２７ａ’、３２ａ’が大きく、溝側２７ｂ’、３２ｂ’が小さい孔になっているため、ルーバーパネル１１と固定するためのネジの種類（ネジ径）および止め方によって孔の大小を選択することができ、様々なルーバーパネル１１の取付けに対応し易くなっている。すなわち、図１０（ａ）に示すように、ネジ径の大きいネジ径Ｍからなるネジ３６の止め方および、図１０（ｂ）に示すように、ネジ径の小さいネジ径Ｒからなるネジ３６の止め方であっても、同じ固定金具２０を使用することができる。なお、図１０（ａ）に示すネジ径Ｍの止め方は図８（ｂ）に示す開口側２７ａ’、３２ａ’の大きい孔に止めるのが好ましく、図１０（ｂ）に示すネジ径Ｒの止め方は図８（ｂ）に示す溝側２７ｂ’、３２ｂ’の小さい孔に止めるのが好ましい。なお、上述した実施形態は上記と同じ部材には同一の符号を付して重複する説明は省略する。
【００３２】
次に、図１１に示すように、ルーバーパネル１１は固定金具２０が固定できる形状であれば良いため、様々な形状の化粧面が製作でき、意匠性が良い。具体的には、図１１（ａ）〜（ｅ）に示すように、ルーバーパネル１１の化粧面に様々な形状を施し、固定面にはネジ３６のネジ径Ｍ、Ｒ等および止め方に対応できるようになっているため、様々な現場に対応し易く、現場に合った意匠性の良いルーバーパネル１１が取付けられる。また、図１２（ａ）〜（ｇ）に示すように、建物躯体３３から張り出す方向にルーバーパネル１１を分割しても良い。具体的には、図２（ｂ）、図４（ｂ）に示すように、一端が固定金具２０を介して建物躯体３３に固定され、他端が第２のルーバーパネル１３に接続される第１のルーバーパネル１２と、第１のルーバーパネル１２に接続された第２のルーバーパネル１３が建物躯体３３から張り出した構成になっている。そして、図１２（ａ）〜（ｇ）に示すように、この第２のルーバーパネル１３を予め用意された形状の異なる複数種類の第２のルーバーパネル１３から選択し、第１のルーバーパネル１２と組み合わせるだけで様々なルーバーパネル１１ができ、デザインにバリエーションのある大型ルーバーパネル１１を低コストで製作できる。なお、本実施形態のルーバーパネル１１は、第１のルーバーパネル１２と第２のルーバーパネル１３とから構成されているが、第３のルーバーパネル（図示なし）を第２のルーバーパネル１３に接続して、さらに大きく張り出した大型ルーバーを構成することもできる。また、ルーバーパネル１１の両端には小口を塞ぐ小口フタ（図示なし）を取付けても良い。
【００３３】
上記した建築用ルーバーパネルの取付構造１０は、予め建物躯体３３に打設してあるボルト３５に固定金具２０の躯体固定片２３、２８を固定し、予めルーバーパネル１１の本体内部に引っ掛けてあるネジ３６を固定されている固定金具２０の位置まで移動させる。そして、ルーバーパネル固定片２５、３０にネジ３６を固定する。以上で、取付けが完了する。
【００３４】
なお、固定金具２０は、図１、図２に示すように、垂直方向への取付けの際は、上下に躯体固定片２３、２８とルーバー固定片２５、３０が連なるように固定をし、図３、図４に示すように、水平方向への取付けの際は、左右に躯体固定片２３、２８とルーバー固定片２５、３０が連なる方向で固定をすれば良い。また、図２（ａ）、図２（ｂ）、図４（ａ）、図４（ｂ）に示すように、端部固定金具２１の切欠き孔２７、２７’は、開口側２７ａ、２７ａ’を外向きに取付けることが好ましいが、内向きでも取付けられ、様々な現場に対応し易い。
【００３５】
以上説明したように、本実施形態によれば、建物躯体３３に複数の長尺のルーバーパネル１１を垂直または水平に配置し、左右または上下に間隔をおいて列設した建築用ルーバーパネルの取付構造１０において、建物躯体３３とルーバーパネル１１の一端を固定する固定金具２０と、を備えているため、様々な構成の建物躯体３３に対し、同部材の長尺のルーバーパネル１１を垂直または水平に取付けられるので利便性がある。また、ルーバーパネル１１の一端を固定する片持ち固定式のため、両端を固定する構造と比較して部品数や製造コストの増加を抑えることができる。また、片持ち固定式であるので、固定位置の制約が少なく、様々な現場に対応し易い。また、短尺に形成された固定金具２０はルーバーパネル１１の裏面に垂直または水平に配置し、左右または上下に間隔をおいて固定されているため、ルーバーパネル１１に固定金具２０が隠れ、外方からは視認し辛く意匠性が良い。
【００３６】
また、固定金具２０は、建物躯体３３とルーバーパネル１１の端部に固定する端部固定金具２１または建物躯体３３とルーバーパネル１１間に固定する目地部固定金具２２とからなるため、端部および目地部（ジョイント部）のみの固定だけで長尺のルーバーパネル１１を取付けられるので、作業性が良い。
【００３７】
また、端部固定金具２１は、建物躯体３３に固定される躯体固定片２３と躯体固定片２３の端部からルーバーパネル１１側に屈曲する連結片２４と連結片２４から外方に屈曲するルーバーパネル固定片２５とで断面Ｚ字状に形成されているため、連結片２４により建物躯体３３とルーバーパネル１１との間に空間Ｓが設けられるので、凹凸等がある建物躯体３３でも連結片２４による空間Ｓで凹凸等に対応でき、様々な現場に対応し易い。また、ボルト３５およびネジ３６等の止め具の突出部も連結片２４による空間Ｓに収められるため、様々な現場でもルーバーパネル１１がスムーズに取付けられ、作業性が良い。
【００３８】
また、目地部固定金具２２は、建物躯体３３に固定される躯体固定片２８と躯体固定片２８の両端部からルーバーパネル１１側に屈曲する対の連結片２９と対の連結片２９から外方に屈曲する対のルーバーパネル固定片３０とで断面ハット状に形成されているため、連結片２９により建物躯体３３とルーバーパネル１１との間に空間Ｓが設けられるので、凹凸等がある建物躯体３３でも連結片２９による空間Ｓで凹凸等に対応でき、様々な現場に対応し易い。また、ボルト３５およびネジ３６等の止め具の突出部も連結片２９による空間Ｓに収められるため、様々な現場でもルーバーパネル１１がスムーズに取付けられ、作業性が良い。
【００３９】
また、躯体固定片２３、２８は、建物躯体３３と固定する１以上の長孔２６、３１が設けられているため、様々な条件の建物躯体３３に対してボルト３５等を仮止めおよび位置決めができ、固定がし易い。
【００４０】
また、ルーバーパネル固定片２５、３０は、１以上のＵ字状の切欠き孔２７、２７’、３２、３２’が設けられているため、作業性の悪い現場での作業でも仮止めおよび位置決めがし易く、作業性が良い。
【００４１】
また、切欠き孔２７’、３２’は、開口側２７ａ’、３２ａ’が大きく、溝側２７ｂ’、３２ｂ’が小さい孔であるため、ルーバーパネル１１に対して固定するネジ３６等の種類（ネジ径Ｍ、Ｒ）を問わず、同じ固定金具２０で対応できるため、利便性があり、かつ、複数の固定金具２０を製作しないため、コストが抑えられる。
【００４２】
また、ルーバーパネル１１は、建物躯体３３に固定される第１のルーバーパネル１２と、第１のルーバーパネル１２に接続される第２のルーバーパネル１３とからなるため、より大きく張り出した形状の大型のルーバーパネル１１を構成することができる。このため、様々な現場に対応し易く、現場に合った意匠性の良い建築用ルーバーパネルの取付構造１０を提供することができる。
【符号の説明】
【００４３】
１０  建築用ルーバーパネルの取付構造
１１  ルーバーパネル
１２  第１のルーバーパネル
１３  第２のルーバーパネル
２０  固定金具
２１  端部固定金具
２２  目地部固定金具
２３、２８  躯体固定片
２４、２９  連結片
２５、３０  ルーバーパネル固定片
２６、３１  長孔
２７、２７’、３２、３２’  切欠き孔
２７ａ、２７ａ’、３２ａ、３２ａ’  開口側
２７ｂ、２７ｂ’、３２ｂ、３２ｂ’  溝側
３３  建物躯体
３４  開口部
３５  ボルト
３６  ネジ
Ｓ  空間
Ｍ、Ｒ  ネジ径
【図１】
2019151984.tif 000003
【図２】
2019151984.tif 000004
【図３】
2019151984.tif 000005
【図４】
2019151984.tif 000006
【図５】
2019151984.tif 000007
【図６】
2019151984.tif 000008
【図７】
2019151984.tif 000009
【図８】
2019151984.tif 000010
【図９】
2019151984.tif 000011
【図１０】
2019151984.tif 000012
【図１１】
2019151984.tif 000013
【図１２】
2019151984.tif 000014